(57)【要約】【目的】塔本体を形成する隅柱の強度の向上と、外観・見栄えの向上を図ることのできる表示塔を提供する。【解決手段】内隅柱部６と外隅柱部７とを一体形成し、両側面に扉納まり部８，９を形成してなる複数本の隅柱２に、天板及び底板４を取り付けることによって表示塔本体５を形成し、この表示塔本体５の隣合う両隅柱２，２の扉納まり部８，９と天板３及び底板４との間には、表示板１８を取り付けると共に、上下横枠１９，２０と左右縦枠２１，２２とからなる周枠２３に透光板２４を嵌装してなる扉２５を配置し、この扉２５は、周枠の一方の縦枠２２を一方の隅柱２の内枠納まり部８に枢着して外開き可能にすると共に、閉じた位置で他方の縦枠２１をストッパー２６で他方の隅柱２の内枠納まり部９に固定可能とした。【選択図】　　　　図２
2004094152.tif 000002
【特許請求の範囲】
【請求項１】
内隅柱部と外隅柱部とを一体形成すると共に両側面に夫々横断面略Ｌ字状の扉納まり部を形成してなる複数本の隅柱に、天板及び底板を取り付けることによって表示塔本体を形成し、この表示塔本体の隣合う両隅柱の扉納まり部と天板及び底板との間には、表示パネルをその左右両端部が扉納まり部の内隅柱部側側面に当接するように配置すると共に、上下横枠と左右縦枠とからなる周枠に透光板を嵌装してなる扉を、前記表示パネルを被うように配置し、この扉は、周枠の一方の縦枠を一方の隅柱の内枠納まり部に枢着して外開き可能にすると共に、閉じた位置で他方の縦枠をストッパーによって他方の隅柱の内枠納まり部に固定可能としてなる表示塔。
【請求項２】
表示塔本体の底板は、複数の隅柱の下端より上方に隔たった位置に取り付けてあって、各隅柱の底板より下方部分には、隅柱の両側面に形成された扉納まり部を被う化粧カバーを装着してなる請求項１に記載の表示塔。
【請求項３】
表示塔本体を、３本の隅柱と、これらの隅柱に取り付けられる夫々平面視三角形の天板及び底板とによって三角柱状に形成してなる請求項１又は２に記載の表示塔。
【発明の詳細な説明】
【０００１】
【発明の属する技術分野】
本発明は、バス停標識塔や広告塔として使用される表示塔に関する。
【０００２】
【従来の技術及びその課題】
従来におけるこの種の表示塔として、実公平３−３９８１３号公報に記載されたものがある。この表示塔によれば、塔本体を形成する各隅柱を、柱本体と、これの外側に回転可能に配置された押え枠とで構成し、押え枠を回転させることによって表示パネルを交換するようにしたものであるが、隅柱として機能するものは柱本体だけで、押え枠は柱としての強度を有しないため、隅柱に十分な強度を持たせるには、柱本体の径を太く頑丈に形成する必要があり、それに対応して押え枠も幅広くなるため、見栄えが悪く、製作コストも高くつき、また表示パネルの交換に手間がかかった。
【０００３】
本発明は、上記のような課題に鑑み、塔本体を形成する隅柱の強度の向上及び観・見栄えの向上、更に製作の容易化と表示パネル交換の容易化を図ることのできる表示塔を提供することを目的とする。
【０００４】
【課題を解決するための手段】
請求項１に係る発明の表示塔は、内隅柱部６と外隅柱部７とを一体形成すると共に両側面に夫々横断面略Ｌ字状の扉納まり部８，９を形成してなる複数本の隅柱２に、天板３及び底板４を取り付けることによって表示塔本体５を形成し、この表示塔本体５の隣合う両隅柱２，２の扉納まり部８，９と天板３及び底板４との間には、表示パネル１８をその左右両端部が扉納まり部８，９の内隅柱部側側面に当接するように取り付けると共に、上下横枠１９，２０と左右縦枠２１，２２とからなる周枠２３に透光板２４を嵌装してなる扉２５を、前記表示パネル１８を被うように配置し、この扉２５は、周枠の一方の縦枠２２を一方の隅柱２の内枠納まり部８に枢着して外開き可能にすると共に、閉じた位置で他方の縦枠２１をストッパー２６によって他方の隅柱２の内枠納まり部９に固定可能としてなることを特徴とする。
【０００５】
請求項２は、請求項１に記載の表示塔において、表示塔本体５の底板４は、複数の隅柱２の下端より上方に隔たった位置に取り付けてあって、各隅柱２の底板４より下方部分には、隅柱２の両側面に形成された扉納まり部８，９を被う化粧カバー３７を装着してなることを特徴とする。
【０００６】
請求項３は、請求項１又は２に記載の表示塔において、表示塔本体５を、３本の隅柱２と、これらの隅柱２に取り付けられる夫々平面視三角形の天板３及び底板４とによって三角柱状に形成してなることを特徴とする。
【０００７】
【発明の実施の形態】
図１は、バス停標識塔として実施した本発明に係る三角柱状の表示塔を示し、（Ａ）は正面図、（Ｂ）は平面図、（Ｃ）は側面図である。図２は図１の（Ａ）のＸ−Ｘ線拡大断面図、図３は図１の（Ａ）のＹ−Ｙ線拡大断面図、図４は図１の（Ａ）のＺ−Ｚ線拡大断面図である。これらの図において、１は表示塔で、正三角形の３頂点の位置に配置される３本の隅柱２と、これら３本の隅柱２の上端部及びその下方部に夫々取り付けられて、これらの隅柱２を一体的につなぐ天板３及び底板４と、からなる表示塔本体５を有する。図１においてＫは、表示塔本体５の下端部を固定するためのコンクリート製の表示塔固定台である。
【０００８】
表示塔本体５の各隅柱２は、図２及び図４の（Ａ）から分かるように、横断面三角形状の内隅柱部６と横断面扇形状の外隅柱部７とを一体に形成すると共に、その両側面に夫々横断面略Ｌ字状の扉納まり部８，９を夫々隅柱長手方向全長に形成したアルミニウム押し出し中空型材からなるもので、各扉納まり部８，９の内隅柱部側側面６ａ部分には表示パネル差し込み溝部１０，１１が隅柱長手方向全長に形成され、また扉納まり部９の外隅柱部側側面にはストッパー溝部１２が隅柱長手方向全長に形成されている。
【０００９】
天板３は、金属板によって図１の（Ｂ）に示すような平面視正三角形状に形成すると共に、周縁部に沿って下向きフランジ部３ａを突設してなるもので、この天板３の下面側所要部に突設された取付部片１３が各隅柱２の内隅柱部６にビス１４止めされて取り付けられる。底板４は、金属板によって天板３と同様な正三角形状に形成し、その周縁部に沿って下向きフランジ部４ａを突設すると共に、その頂角部分を隅柱２の断面形にほぼ対応するように切欠して（図５参照）、その切欠部１５に隅柱２を嵌め込むようにしたもので、底板４に突設された取付部片１６が各隅柱２の内隅柱部６に対しビス１７止めされて固定される。
【００１０】
上記のように構成される三角柱状の表示塔本体５における隣合う隅柱２，２の扉納まり部８，９と天板３及び底板４との間には、図２及び図３に示すように、表示パネル１８の左右両端部が表示パネル差し込み溝部１０，１１に差し込まれて扉納まり部８，９の内隅柱部側側面６ａ，６ａに当接するように取り付けられると共に、上下横枠１９，２０と左右縦枠２１，２２とからなる周枠２３に透光板２４を嵌装してなる扉２５が、前記表示パネル１８を被うように配置され、この扉２５は、周枠２３の一方の縦枠２２が一方の隅柱２の内枠納まり部８に枢着されて外開き可能となり、そして閉じた位置で他方の縦枠２１がストッパー２６によって他方の隅柱２の内枠納まり部９に固定されるようになっている。
【００１１】
表示パネル１８は、アルミニウム板あるいは合成樹脂板からなるもので、その表面側に、バス停の名称あるいはバス時刻表、広告その他の情報が表示される。これらの情報は、表示パネル１８に直接表示してもよいし、別のシートに印刷したものを表示パネル１８に貼り付けるようにしてもよい。
【００１２】
上記扉２５の構造について更に説明すると、上下横枠１９，２０及び左右縦枠２１，２２には夫々、図３及び図４に示すように透光板嵌装溝１９ａ，２０ａ，２１ａ，２２ａが形成されており、透光板２４は、上下横枠１９，２０と左右縦枠２１，２２とを相互にビス止めして周枠２３を形成する際に、周縁部を透光板嵌装溝１９ａ，２０ａ，２１ａ，２２ａに嵌合させて取り付けられる。上下横枠１９，２０及び左右縦枠２１，２２は夫々アルミニウム押し出し型材からなり、透光板２４は透明のポリカーボネートからなる。
【００１３】
そして、この扉２５は、一方の隅柱２の内枠納まり部８において、天板３及び底板４から周枠２３の一方の縦枠２２の上下両端部に夫々ねじ込まれたビス２７，２７を枢軸として外開き式に回動開閉するようになっている。図３において、２８は天板３の下面にビス２９で取り付けられた受け材、３０ａは受け材２８の下面と縦枠２２の上端面との間に介挿されたスペーサーであって、前記ビス２７がこれら受け材２８及びスペーサー３０ａを貫通している。また３０ｂは、縦枠２２の下端面と底板４との間に介挿されたスペーサーで、前記ビス２７がこのスペーサー３０ｂを貫通している。
【００１４】
扉２５を閉じた位置に固定するストッパー２６は、図４の（Ａ）に示すように周枠２３の他方の縦枠２１の内部に取り付けられたストッパーユニット３１からなる。このストッパーユニット３１は、図４の（Ｂ）及び（Ｃ）に示すように、錠箱３２と、この錠箱３２に枢支された回動軸３３と一体回動可能で、錠箱３２内に退避した非ロック位置と錠箱３２の外へ突出したロック位置とに亘って回動するロック片３４と、一端部が錠箱３２に取り付けられ、他端部がロック片３４の角形基端部３４ｏの端面ａ又はｂに弾接する板バネ３５と、からなるもので、回動軸３３の一端面には回転操作用の六角穴３６が設けてある。
【００１５】
図４の（Ａ）は、上記構造のストッパーユニット３１を周枠２３の縦枠２１に取り付けた状態を示したもので、回動軸３３の回転操作用の六角穴３６は、同図の（Ｄ）に示すように縦枠２１の外側からレンチ等の回転操作具を挿入できるようになっている。しかして、扉２５を閉じた位置で回動軸３３を回転操作し、ロック片３４をロック位置に突出させて、同図の（Ａ）に示すようにストッパー溝部１２に突入させると、板バネ３５の先端部が、ロック片３４の基端部３４ｏの端面ａに弾接してロック片３４をロック位置に保持し、それにより扉２５は閉じた位置にロックされる。また回動軸３３をロック位置から９０度回転操作して、ロック片３４を非ロック位置に戻すと、板バネ３５の先端部がロック片３４の端面ｂに弾接してロック片３４を非ロック位置に保持し、扉２５はロック解除されて、外開き可能となる。ロック片３４は、板バネ３５でロック位置及び非ロック位置に夫々保持されるから、回動軸３３を回転操作しない限り、勝手に回動することがない。
【００１６】
この表示塔１は、表示塔本体５における天板３と底板４との間の空間部が表示部となるが、底板４は図１の（Ａ）及び（Ｃ）に示すように、隅柱２の下端部より上方へ適当に隔たった位置に取り付けられているから、この底板４より下方部分は非表示部となる。しかして、この非表示部では、表示パネル１８もなく、扉２５もなく、そのままでは各隅柱２の扉納まり部８，９が露呈して見栄えが悪くなるため、各の隅柱２の扉納まり部８，９を被うように化粧カバー３７が取り付けられている。
【００１７】
この化粧カバー３７は、アルミニウム押し出し型材からなるもので、図６に示すように、隅柱２の内隅柱部６と扉納まり部８，９とを同時に被うように横断面略々Ｃ字状に形成され、その一側端部に形成された係合凹段部３７ａが、扉納まり部８に面する外隅柱部７の側面に形成された係合凸部７ａに係合すると共に、その他側端部に形成された係合凹段部３７ｂが、扉納まり部９に面する外隅柱部７の側面に形成された係合凸部７ｂに係合して位置決めされる。
【００１８】
この表示塔１を表示塔固定台Ｋに設置するには、図１の（Ａ）及び図６に示すように、固定台Ｋの上面から垂直突出している３本の平板状アンカー支柱３８に、表示塔本体５の３本の隅柱２の夫々内隅柱部６を添え付けた状態で、ボルト３９を、アンカー支柱３８から隅柱２の内隅柱部６を貫通させて、内隅柱部６の内側面に取り付けられたネジ座４１に螺入すればよい。
【００１９】
上記のように構成される表示塔（バス停標識塔）１の使用にあたっては、例えばバス停の名称を表示した表示パネル１８を、三角柱状表示塔本体５の天板３と底板４との間に形成される表示部の外周側三面に夫々取り付ける。即ち、隣合う隅柱２，２の扉納まり部８，９と天板３及び底板４との間で表示パネル１８の左右両端部をパネル差し込み溝部１０，１１に差し込めばよい。この際、表示パネル１８を適当に湾曲させるようにすれば、パネル差し込み溝部１０，１１に容易に差し込むことができる。こうして３枚の表示パネル１８を三角柱状表示塔本体５の外周側三面に夫々取り付けた後、各表示パネル１８を被う扉２５を閉じて、ストッパー２６をロック操作することにより、各扉２５を閉じた位置で表示塔本体５に固定することができる。
【００２０】
この場合、表示パネル１８の表面側周縁部には、扉２５が閉じた時に扉２５の周枠２３の裏面に弾接する弾性パッキン４０が取り付けてあるから、扉２５を閉めることによって、表示パネル１８を、隣合う両隅柱２，２の扉納まり部８，９の内隅柱部側側面６ａ，６ａに当接状態に確実に固定させることができると共に、このパッキン４０により、雨水やゴミが表示パネル１８の表示面に侵入するのを阻止して、表示部が汚れるのを防止できる。
【００２１】
そして、表示パネル１８の表示内容が変更されて、表示パネル１８の交換が必要な場合には、各扉２５を表示塔本体５に固定しているストッパー２６をロック解除操作して、扉２５を図２の仮想線で示すように外側に開放した後、各表示パネル１８の左右両端部をパネル差し込み溝部１０，１１から離脱させればよい。この時も、表示パネル１８を適当に湾曲させるようにすれば、差し込み溝部１０，１１から容易に離脱させることができる。
【００２２】
また、この表示塔１は、表示塔本体５が三角柱状に形成されて、３つの表示パネル１８、即ち三面表示部を有するから、この表示塔１をバス停標識塔として、図７に示すように三面表示部のうちの二面が道路Ａ側に斜めに面し、他の一面が道路と反対側を向くように、歩道Ｂ上のバス停位置に設置すれば、表示塔１は、歩道Ｂの長手方向に沿った２方向▲１▼，▲２▼と、道路Ａと反対側から道路Ａを見る方向▲３▼との３つの方向によって、四角柱状表示塔本体の四面表示方式よりも視覚的視認性が向上することになり、しかも四面表示方式の表示塔よりも構成部材が少なく、構造が簡単となるため、コストダウンを図ることができる。
【００２３】
【発明の効果】
請求項１に係る発明によれば、塔本体を形成する各隅柱は、内隅柱部と外隅柱部とからなるもので、両柱部が一体形成されているから、隅柱として十分な強度を有して、強度の向上を図ることができる。また各隅柱は、内隅柱部と外隅柱部との両側面に夫々横断面略Ｌ字状の扉納まり部を形成して、隣合う両隅柱の両扉納まり部間に扉が配置されるから、外から見える隅柱は内隅柱部の一部となり、外観上の体裁、見栄えが良くなる。
【００２４】
また、表示パネルを交換する場合は、各扉を表示塔本体に固定しているストッパーを解除操作して、扉を外側に開放すれば、表示パネルが取り外せる状態となるから、表示パネルの交換を簡単容易に行うことができる。更に、この発明の表示塔は、構造が簡単で、組み立てが容易であるから、製作コストが安く、安価に提供可能となる。
【００２５】
請求項２に係る発明によれば、表示塔本体の底板より下方部分が非表示部となるように形成した場合、底板より下方部分において各の隅柱の扉納まり部を被う化粧カバーを取り付けることによって、非表示部の外観上の体裁、見栄えを良くすることができる。
【００２６】
請求項３に係る発明のように、表示塔本体を、３本の隅柱とこれらに取り付けられる夫々平面視三角形の天板及び底板とによって三角柱状に形成した場合は、表示塔は、３つの表示パネル、つまり三面表示部を有することになり、しかしてこの表示塔を、例えばバス停標識塔として、三面表示部のうちの二面が道路側に斜めに面し、他の一面が道路と反対側を向くように、歩道上のバス停位置に設置すれば、この表示塔は、歩道の長手方向に沿った２方向と、道路と反対側から道路側を見る方向との３つの方向によって、四角柱状表示塔本体の四面表示方式よりも視覚的視認性が向上することになり、しかも四面表示方式の表示塔よりも構成部材が少なく、構造が簡単となるため、コストダウンを図ることができる。
【図面の簡単な説明】
【図１】バス停標識塔として実施した本発明に係る三角柱状の表示塔を示
し、（Ａ）は正面図、（Ｂ）は平面図、（Ｃ）は側面図である。
【図２】図１の（Ａ）のＸ−Ｘ線拡大断面図である。
【図３】図１の（Ａ）のＹ−Ｙ線拡大断面図である。
【図４】（Ａ）は図４は図１の（Ａ）のＺ−Ｚ線拡大断面図、（Ｂ）はストッパーユニットの外観斜視図、（Ｃ）は同ユニットの断面図であり、（Ｃ）は（Ａ）の矢印Ｖから扉の縦枠を見た時の回動軸の回転操作用六角穴を示す図面である。
【図５】図４の（Ａ）と同様な断面図であるが、特に隅柱に対する底板の
取付状態を示す。
【図６】図１の（Ａ）のＷ−Ｗ線拡大断面図である。
【図７】表示塔をバス停標識塔としてバス停留所に設置した状態を示す斜
視図である。
【符号の説明】
１　　　　　　　表示塔
２　　　　　　　隅柱
３　　　　　　　天板
４　　　　　　　底板
５　　　　　　　表示塔本体
６　　　　　　　内隅柱部
７　　　　　　　外隅柱部
８，９　　　　　扉納まり部
２６　　　　　　ストッパー
３７　　　　　　化粧カバー
【図１】
2004094152.tif 000003
【図２】
2004094152.tif 000004
【図３】
2004094152.tif 000005
【図４】
2004094152.tif 000006
【図５】
2004094152.tif 000007
【図６】
2004094152.tif 000008
【図７】
2004094152.tif 000009